(57)【特許請求の範囲】
【請求項１】
カード発行に必要なカード情報を入力する入力手段と、
標準の文字に対する文字イメージデータが文字コードに対応して記憶されている第１の記憶手段と、
上記入力手段により入力されたカード情報を文字ごとに上記第１の記憶手段から読み出した所定の文字イメージデータに変換して登録し、上記入力手段により入力された当該カード情報に所定の文字イメージデータに変換できない欠字が存在する場合には、その欠字を特定の識別子に変換して登録する第１の登録手段と、
上記欠字に類似する上記第１の記憶手段に記憶されている標準文字の文字コードを設定する設定手段と、
この設定手段により設定された標準文字の文字コードに対応した文字イメージデータを表示している状態において、欠字との相違部分のイメージを変更することにより、欠字のイメージが手書きで示される手書き入力手段と、
この手書き入力手段により入力されたイメージを当該欠字のイメージデータとして登録する第２の登録手段と、
上記第１の登録手段からカード情報を取得し、さらに、取得したカード情報に欠字が含まれる場合には上記第２の登録手段から対応する欠字のイメージデータを取得してカードを発行する発行手段と、
上記欠字のイメージデータを、上記欠字に類似する標準文字の文字コードに基づいて、上記第１の記憶手段に追加記憶する第２の記憶手段とを具備することを特徴とするカード発行システム。
【請求項２】
カード発行に必要なカード情報を入力する入力工程と、
標準の文字に対する文字イメージデータを文字コードに対応して記憶手段に記憶する第１の記憶工程と、
上記入力工程により入力されたカード情報を文字ごとに上記記憶手段から読み出した所定の文字イメージデータに変換して登録し、上記入力工程により入力された当該カード情報に所定の文字イメージデータに変換できない欠字が存在する場合には、その欠字を特定の識別子に変換して登録する第１の登録工程と、
上記欠字に類似する上記記憶手段に記憶されている標準文字の文字コードを設定する設定工程と、
この設定工程により設定された標準文字の文字コードに対応した文字イメージデータを表示している状態において、欠字との相違部分のイメージを変更することにより、欠字のイメージが手書きで示される手書き入力工程と、
この手書き入力工程により入力されたイメージを当該欠字のイメージデータとして登録する第２の登録工程と、
上記第１の登録工程で登録されたカード情報を取得し、さらに、取得したカード情報に欠字が含まれる場合には上記第２の登録工程で登録された対応する欠字のイメージデータを取得してカードを発行する発行工程と、
上記欠字のイメージデータを、上記欠字に類似する標準文字の文字コードに基づいて、上記記憶手段に追加記憶する第２の記憶工程とを有することを特徴とするカード発行方法。
【発明の詳細な説明】
【技術分野】
【０００１】
この発明は、例えば、手書きされた図形や文字などを電子イメージとして入力する描画入力装置を用いて入力された電子イメージを個人情報として印刷した運転免許証などのＩＤカードを発行するカード発行システムとカード発行方法に関する。
【背景技術】
【０００２】
従来、人間が手書きしたイメージを電子化して入力するタブレットなどの描画入力装置がある。上記タブレットは、電子ペンなどを用いて人間が表示面などの筆記板上に手書きしたイメージを電子化してイメージデータとして取得するようになっている。上記タブレットでは、人間が電子ペンにて手書きしたイメージを連続的に点として検知し、それらの点の集合をイメージとして取得している。上記タブレットでは、人間が手書きしたイメージを忠実に再現するため、検知された各点の位置を正確に検知してイメージデータを取得している。
【０００３】
例えば、カードを発行するカード発行システムでは、オペレータがカードに印刷するための個人情報などのユーザデータを入力するが、予めイメージデータが用意されている文字については、オペレータの入力に応じてイメージデータに変換される。しかしながら、イメージデータが用意されていない文字については、上記のような描画入力装置などを用いてカードに印刷する文字のイメージデータを入力して登録する必要がある。
【０００４】
しかしながら、実際にタブレットにより欠字を手書きにより入力しようとした際に、欠字が標準の文字に似ている場合であっても、すべて手書きの入力が為されることにより、手間がかかってしまうという問題点がある。また、手書き文字のため、標準の文字と比べてきれいに書けず、印刷結果に違和感があった。
【特許文献１】特開平４−３４１４５号公報
【発明の開示】
【発明が解決しようとする課題】
【０００５】
上記したように、操作者が手書きで欠字のイメージを描画する際に、正確にイメージを描画するためには時間がかかったり、手間がかかってしったりするという問題点を解決するもので、手書き入力に時間や手間をかけることなく操作者が意図したイメージを正確かつ効率的に入力することができるカード発行システム、カード発行方法を提供することを目的とする。
【課題を解決するための手段】
【０００６】
この発明は、カード発行に必要なカード情報を入力する入力手段と、標準の文字に対する文字イメージデータが文字コードに対応して記憶されている第１の記憶手段と、上記入力手段により入力されたカード情報を文字ごとに上記第１の記憶手段から読み出した所定の文字イメージデータに変換して登録し、上記入力手段により入力された当該カード情報に所定の文字イメージデータに変換できない欠字が存在する場合には、その欠字を特定の識別子に変換して登録する第１の登録手段と、上記欠字に類似する上記第１の記憶手段に記憶されている標準文字の文字コードを設定する設定手段と、この設定手段により設定された標準文字の文字コードに対応した文字イメージデータを表示している状態において、欠字との相違部分のイメージを変更することにより、欠字のイメージが手書きで示される手書き入力手段と、この手書き入力手段により入力されたイメージを当該欠字のイメージデータとして登録する第２の登録手段と、上記第１の登録手段からカード情報を取得し、さらに、取得したカード情報に欠字が含まれる場合には上記第２の登録手段から対応する欠字のイメージデータを取得してカードを発行する発行手段と、上記欠字のイメージデータを、上記欠字に類似する標準文字の文字コードに基づいて、上記第１の記憶手段に追加記憶する第２の記憶手段とを有する。
【０００８】
この発明は、カード発行に必要なカード情報を入力する入力工程と、標準の文字に対する文字イメージデータを文字コードに対応して記憶手段に記憶する第１の記憶工程と、上記入力工程により入力されたカード情報を文字ごとに上記記憶手段から読み出した所定の文字イメージデータに変換して登録し、上記入力工程により入力された当該カード情報に所定の文字イメージデータに変換できない欠字が存在する場合には、その欠字を特定の識別子に変換して登録する第１の登録工程と、上記欠字に類似する上記記憶手段に記憶されている標準文字の文字コードを設定する設定工程と、この設定工程により設定された標準文字の文字コードに対応した文字イメージデータを表示している状態において、欠字との相違部分のイメージを変更することにより、欠字のイメージが手書きで示される手書き入力工程と、この手書き入力工程により入力されたイメージを当該欠字のイメージデータとして登録する第２の登録工程と、上記第１の登録工程で登録されたカード情報を取得し、さらに、取得したカード情報に欠字が含まれる場合には上記第２の登録工程で登録された対応する欠字のイメージデータを取得してカードを発行する発行工程と、上記欠字のイメージデータを、上記欠字に類似する標準文字の文字コードに基づいて、上記記憶手段に追加記憶する第２の記憶工程とを有する。
【発明の効果】
【０００９】
この発明は、操作者が手書きで直線などのイメージを描画する際に、正確にイメージを描画するためには時間がかかったり、手間がかかってしまったりするという問題点を解決するもので、手書き入力に時間や手間をかけることなく操作者が意図したイメージを正確かつ効率的に入力することができるカード発行システム、カード発行方法を提供できる。特に、欠字に類似する標準文字の文字コードに基づいて、欠字のイメージデータを記憶手段に追加記憶するようにしたので、同じ欠字に対しては２回目以降のイメージデータの作成を省くことができ、この点でも、手書き入力に時間や手間をかけることなく操作者が意図したイメージを正確かつ効率的に入力することができるようになる。
【発明を実施するための最良の形態】
【００１０】
以下、この発明の一実施形態について図面を参照して説明する。
【００１１】
図１は、この発明の実施の形態に係るＩＤカード発行システムの概略構成を示すブロック図である。
【００１２】
図１に示すように、ＩＤカード発行システムは、登録端末１、ホストコンピュータ２、欠字端末３、欠字データベース４、撮影装置５、及び免許証作成装置６を有している。上記登録端末１、ホストコンピュータ２、欠字端末３、欠字データベース４、撮影装置５、及び免許証作成装置６は、ＬＡＮなどのネットワーク回線７を介して接続されている。上記ＩＤカード発行システムでは、上記登録端末１、欠字端末３、撮影装置５により入力した各申請者の申請者データをホストコンピュータ２に登録し、上記免許証作成装置６にてホストコンピュータ２に登録されたユーザデータに基づいてＩＤカードを印刷するようになっている。
【００１３】
すなわち、上記登録端末１では、オペレータにより申請者から受領した申請書に基づく個人情報などのユーザデータが入力される。上記登録端末１は、申請者から受領した申請書に基づいて当該申請者の個人情報などのデータをオペレータが入力する入力端末機器（入力手段）１ａを有している。上記入力端末機器１ａは、図示しない、キーボード、表示部、制御部などで構成される。
【００１４】
また、上記撮影装置５では、オペレータにより申請者の顔画像などのユーザデータが撮影される。上記撮影装置５は、申請者の少なくとも顔を含む画像のデータ（顔画像データ）を入力する画像入力機器としてのデジタルカメラなどにより構成される。
【００１５】
なお、上記撮影装置５では、記憶媒体から申請者の顔画像データを取得するようにしても良いし、他の機器から申請者の顔画像データを取得するようにしても良い。例えば、記憶媒体から申請者の顔画像データを取得する場合、上記撮影装置５は媒体の記憶されているデータを読み取るリーダライタ装置などを有して構成される。また、他の機器から申請者の顔画像データを取得する場合、上記撮影装置５は、ＬＡＮ７などを介して他の機器との通信を行う通信装置などを有して構成される。
【００１６】
上記のように構成される登録端末１により入力されたユーザデータは、上記ホストコンピュータ２に蓄積される。上記ユーザデータには、ＩＤ番号、住所、氏名、生年月日などの個人情報が含まる。これらの個人情報は、上記登録端末１にてオペレータが入力するものである。
【００１７】
また、上記登録端末１では、個人情報などの文字を入力する場合、オペレータが入力する情報を所定のフォント情報に基づいて文字のイメージデータ（ドットパターンデータ）に変換するようになっている。つまり、例えば、ＪＩＳコードに存在する漢字などの文字は、メモリ１ｂに予め登録されている所定のフォント情報として文字のイメージデータに変換される。
【００１８】
また、メモリ１ｂには、文字コードに対応してフォント情報が登録されており、欠字に対するフォント情報も類似する文字の文字コードに対応して登録されるようになっている。
【００１９】
これに対して、上記メモリ１ｂに所定のフォント情報が存在しない（登録されていない）文字は、欠字として入力される。上記登録端末１では、上記のような欠字が、例えば、「＊」などの欠字を示す識別子に変換されて入力される。
【００２０】
上記ホストコンピュータ２は、上記登録端末１により入力された個人情報と撮影装置５からの申請者の顔画像データとを含むユーザデータを蓄積するものである。このホストコンピュータ２は、図示しないデータベースを有し、そのデータベースに上記登録端末１にて入力された個人情報と撮影装置５からの申請者の顔画像データとを含むユーザデータを蓄積する。さらに、上記登録端末１にて入力されたユーザデータに欠字が含まれている場合、上記ホストコンピュータ２は、欠字のイメージデータを入力するために、当該ユーザデータを欠字端末３へ転送するようになっている。また、上記ホストコンピュータ２は、ＩＤカードの印刷要求に応じて蓄積したユーザデータを上記免許証作成装置６へ転送するようになっている。
【００２１】
上記欠字端末３は、上記ホストコンピュータ２に蓄積されている上記登録端末１にて入力されたユーザデータに含まる欠字のイメージデータを入力する。つまり、上記欠字端末３は、上記ホストコンピュータ２に蓄積されているユーザデータのうち欠字を含むユーザデータを取得し、欠字に対するイメージデータを入力する。この欠字端末３では、オペレータにより入力された欠字のイメージデータを上記欠字データベース４に登録するようになっている。
【００２２】
また、類似する文字から欠字のイメージを作成した際に、類似する文字の文字コードに欠字のイメージを対応して上記登録端末１のメモリ１ｂに登録するようになっている。
【００２３】
上記欠字データベース４は、上記欠字端末３により入力された各欠字のイメージデータを、各欠字を識別するための識別情報（識別子）とともに記憶するデータベース装置である。
【００２４】
上記免許証作成装置６は、上記ホストコンピュータ２からユーザデータを取得してＩＤカードを印刷するものである。また、ユーザデータに欠字が含まれている場合、上記印刷装置５は、欠字のイメージデータを当該欠字の識別情報に基づいて上記欠字データベース４から取得してＩＤカードを印刷するようになっている。
【００２５】
次に、上記欠字端末３の内部構成について詳細に説明する。
【００２６】
上記欠字端末３は、図２、図３に示すように、制御部１１、キーボード１２、タブレット１３、記憶部（記憶手段）１４、及び通信部（取得手段）１５などを有している。
【００２７】
上記制御部１１は、制御プログラムにより動作するＣＰＵや制御プログラムなどが記憶されたメモリなどにより構成され、欠字端末３全体の制御を司るものである。上記キーボード１２は、オペレータにより操作指示やデータなどが入力されるものである。
【００２８】
上記タブレット（描画入力装置）１３は、欠字のイメージデータをオペレータが手書き入力するものである。上記タブレット１３は、筆記板および表示装置としての液晶表示装置Ｄ、ポインティングデバイス（手書き入力手段）としてのペン形状のスタイラス（以下、電子ペンと称する）Ｐ、及び制御等を行う回路機構などにより構成される。
【００２９】
また、上記液晶表示装置Ｄは、表示面（以下、入力面と称する）上に電子ペンＰが接触した点を連続的（例えば、所定時間ごと）に検知する検知手段としての機能を有している。これにより、上記タブレット１３は、上記液晶表示装置Ｄの入力面に電子ペンＰが接触した点を連続的に検知し、オペレータが手書き入力した連続する点の集合からなるイメージデータを取得する。
【００３０】
また、上記タブレット１３の代わりに、上記マウス、トラックボール、タッチスクリーンなどのポインティングデバイス（手書き入力手段）と操作案内あるいは入力データなどを表示する表示装置にて構成するようにしても良い。この場合、上記ポインティングデバイスを用いてオペレータが手書きするイメージを取得し、表示装置に入力されたイメージを表示するようにすれば良い。
【００３１】
上記記憶部１４は、ハードディスクドライブやＲＡＭなどの記憶装置により構成され、上記ホストコンピュータ２からのデータなどを記憶する。上記通信部１５は、ネットワーク通信を行うインターフェース装置などにより構成される。上記通信部１５は、上記ホストコンピュータ２あるいは上記欠字データベース４とのデータ通信を行うものである。上記通信部１５は、上記ホストコンピュータ２から欠字を含むユーザデータを取得する取得手段としての機能、及び、上記欠字データベース４に登録する欠字のイメージデータを送信する機能を有している。
【００３２】
次に、上記欠字端末３による欠字入力処理について説明する。
【００３３】
図４は、上記欠字端末３により欠字を入力する際の入力画面の表示例を示す図である。
【００３４】
欠字の入力を行う場合、オペレータは、上記キーボード１２により欠字の入力作業の開始を指示する。すると、上記欠字端末３の制御部１１は、上記ホストコンピュータ２に欠字を含むユーザデータを要求する。これに対して、上記ホストコンピュータ２から欠字を含むユーザデータを受信した際、上記制御部１１は、上記タブレット１３の液晶表示部Ｄに欠字を含むユーザデータを表示するとともに、欠字の入力イメージを表示する。
【００３５】
例えば、図４に示す表示例では、個人情報欄２１、欠字イメージ表示領域２２が表示されている。上記個人情報欄２１は、上記ホストコンピュータ２から取得したユーザデータに基づく当該ユーザに関する情報としてＩＤ番号（ＩＤカード番号）、住所、氏名、生年月日などが表示されている。
【００３６】
上記欠字イメージ表示領域２２には、個人情報における欠字のイメージが表示されている。
【００３７】
次に、上記タブレット１３による欠字のイメージの入力動作について説明する。
【００３８】
図５は、上記タブレット１３の欠字入力処理を説明するためのフローチャートである。
【００３９】
まず、上記欠字端末３は、キーボード１２の操作によりホストコンピュータ２から欠字が存在する個人情報を取得する。欠字が存在する個人情報を取得すると、上記欠字端末３の制御部１１は、図４に示すように、上記タブレット１３の液晶表示部Ｄに取得した個人情報と欠字を入力する欠字イメージとを表示させる。この状態において、オペレータは、当該申請者の申請書等を参照しつつ、個人情報に含まれている欠字の手書き入力を行う。
【００４０】
すなわち、オペレータが入力部１２により作成したい欠字に似ている標準文字の文字コード（６７７０）を入力する（ＳＴ１）。これにより、制御部１１は登録端末１のメモリ１ｂから上記文字コードに対応するイメージデータを取得する。
【００４１】
この際、制御部１１はこの文字コードに対応して標準文字以外の関連付けられた欠字があるか否かを判断する（ＳＴ２）。
【００４２】
この判断の結果、関連付けられた欠字がない場合、制御部１１は図６に示すように、入力された文字コードに対応する文字のビットマップデータ（イメージデータ、フォントデータ）を液晶表示部Ｄにより表示する（ＳＴ３）。
【００４３】
このイメージデータを、マウスとタブレットにより図７に示すように、加工し（ＳＴ４）、入力された文字コードと関連付けて記憶する（ＳＴ５）。この際、制御部１１は登録端末１のメモリ１ｂに対して上記文字コードに対応して欠字のイメージデータを追加登録する。
【００４４】
また、上記ステップ２の判断の結果、関連付けられた欠字がある場合、制御部１１は図８に示すように、液晶表示部Ｄにより入力された文字コードに対応する文字のイメージデータを表示するとともに、関連付けられた欠字のイメージデータ表示する（ＳＴ６）。
【００４５】
この表示により、同一文字があるか否かを判断する（ＳＴ７）。
【００４６】
この判断の結果、同一文字がない場合、表示されているイメージデータの中から最も似ている文字を選択し、この選択されたイメージデータだけ表示する（ＳＴ８）。
【００４７】
このイメージデータを、マウスとタブレットにより加工し（ＳＴ９）、入力された文字コードと関連付けて記憶する（ＳＴ１０）。この際、制御部１１は登録端末１のメモリ１ｂに対して上記文字コードに対応して欠字のイメージデータを追加登録する。
【００４８】
また、上記ステップ７の判断の結果、同一文字がある場合、当該イメージデータを選択する（ＳＴ１１）。
【００４９】
上記したように、欠字をタブレット等により手書き入力する際に、欠字に類似する標準文字のイメージデータを表示し、相違部分だけを修正することにより、実行するものである。
【００５０】
また、欠字作成時、あらかじめ登録してある標準のフォントデータを表示し、それを加工して新しい文字（欠字のイメージ）を作成することで、運転免許証の券面に印字、または運転免許証ＩＣに格納することにより、欠字データの作成を省力化する。また、作成した欠字データを標準フォントの文字コードに関連付けて記憶しておくことで、２回目以降の欠字作成を省くことができる。
【００５１】
これにより、オペレータが手書き入力する部分を極力少なくすることにより、手書き入力に時間や手間をかけることなく操作者が意図した欠字のイメージを正確かつ効率的に入力することができ、他の文字との違和感を少なくすることができる。
【００５２】
また、作成した欠字を元にした文字コードとセットにして記録しておくことにより、同じ欠字を複数回作成する必要がなくなる。また、作成した欠字を加工して新たな欠字を作成することができるため、欠字作成にかかる労力をさらに少なくすることができる。
【００５３】
上記した実施形態では、欠字に類似する標準文字を選択する際に、文字コードの入力により行う場合について説明したが、部首、辺の入力、読みの入力、一覧表示からの絞込み、手入力による選択等により、欠字に類似する標準文字を選択するようにしても良い。
【００５４】
また、発行されるカードがＩＣチップ（制御部とメモリにより構成）を有するカードにより構成されているものであっても良い。この場合、カードの発行内容（欠字のイメージを含むかあるいは欠字に似ている文字の文字コード）がＩＣチップ内のメモリＭに登録されて発行されるようになっている。
【００５５】
このカードを用いて、上記システムとオフライン構成の追記装置により、住所変更などの記載変更を行う際に、欠字がある場合の処理について説明する。上記追記装置は、図８に示すように、制御部３１とメモリ部３２とＩＣチップのリーダライタ３３と入力部３４と表示部３５と印刷部３６により構成される。
【００５６】
このような構成により、住所などの記載変更が行われる。この際、変更内容の中に欠字がある場合、上述したように欠字に似ている文字のイメージデータから欠字のイメージデータを作成し、その文字の文字コードと欠字のイメージデータとを変更内容とともにＩＣチップ内のメモリＭに登録しておく。また、印刷部３６により、上記カードＣの裏面に変更内容を印刷する。
【図面の簡単な説明】
【００５７】
【図１】この発明の一実施形態を説明するためのＩＤカード発行システムの概略構成を示すブロック図。
【図２】欠字端末の概略構成を示すブロック図。
【図３】欠字端末の概略構成を示す図。
【図４】欠字端末による表示例を説明するための図。
【図５】欠字入力処理を説明するためのフローチャート。
【図６】欠字端末における欠字入力処理時の表示例を示す図。
【図７】欠字端末における欠字入力処理時の表示例を示す図。
【図８】追記装置の概略構成を示すブロック図。
【符号の説明】
【００５８】
１…登録端末、１ａ…入力端末機器、１ｂ…メモリ、２…ホストコンピュータ、３…欠字端末、４…欠字データベース、５…印刷装置、１１…制御部、１２…キーボード、１３…タブレット、１５…記憶部、１６…通信部、Ｄ…液晶表示装置、Ｐ…電子ペン。
【図１】
0004817769.tif 000002
【図２】
0004817769.tif 000003
【図３】
0004817769.tif 000004
【図４】
0004817769.tif 000005
【図５】
0004817769.tif 000006
【図６】
0004817769.tif 000007
【図７】
0004817769.tif 000008
【図８】
0004817769.tif 000009